(57)【特許請求の範囲】
【請求項１】
画像表示部材と、周縁部に遮光層が形成された光透過性カバー部材とが、液状の光硬化性樹脂組成物から形成された光透過性硬化樹脂層を介し、光透過性カバー部材の遮光層形成面が画像表示部材側に配置されるように積層された画像表示装置の製造方法において、以下の工程（Ａ）〜（Ｃ）：
＜工程（Ａ）＞
液状の光硬化性樹脂組成物を、光透過性カバー部材の遮光層形成側表面又は画像表示部材の表面に、遮光層と光透過性カバー部材の遮光層形成側表面とで形成される段差がキャンセルされるように、遮光層の厚さより厚く塗布する工程；
＜工程（Ｂ）＞
塗布された光硬化性樹脂組成物に対し、その硬化率が９０％以上となるように紫外線を照射して硬化させることにより光透過性硬化樹脂層を形成する工程；及び
＜工程（Ｃ）＞
画像表示部材に、遮光層と光透過性硬化樹脂層とが内側になるように光透過性カバー部材を貼り合わせる工程
を有する製造方法。
【請求項２】
画像表示部材が、液晶表示パネル、有機ＥＬ表示パネル又はタッチパネルである請求項１記載の製造方法。
【請求項３】
工程（Ａ）において、光硬化性樹脂組成物を、遮光層の厚さの１．２〜５０倍の厚さで塗布する請求項１又は２記載の製造方法。
【請求項４】
液状の光硬化性樹脂組成物が、ポリウレタン系（メタ）アクリレート又はポリイソプレン系（メタ）アクリレートと光重合開始剤とを含有する請求項１〜３のいずれかに記載の製造方法。
【発明の詳細な説明】
【技術分野】
【０００１】
本発明は、液晶表示パネル等の画像表示部材とその表面側に配される透明保護シート等の光透過性カバー部材とを、光透過性硬化樹脂層を介して接着・積層して画像表示装置を製造する方法に関する。
【背景技術】
【０００２】
スマートフォーン等の情報端末に用いられている液晶表示パネル等の画像表示装置は、液晶表示パネルや有機ＥＬ表示パネル等の画像表示部材と光透過性カバー部材との間に、光硬化性樹脂組成物を配した後、その組成物に紫外線を照射して硬化させて光透過性硬化樹脂層とし、それにより画像表示部材と光透過性カバー部材とを接着・積層することにより製造されている（特許文献１）。
【０００３】
ところで、光透過性カバー部材の画像表示部材側表面の周縁部には、表示画像の輝度やコントラスト向上のために遮光層が設けられているため、そのような遮光層と画像表示部材との間に挟まれた光硬化性樹脂組成物の硬化が十分に進行せず、そのため十分な接着力が得られず、透過性カバー部材と画像表示部材との間の剥離や、その間隙への湿気の侵入により画像品質の低下等が生ずるということが懸念されている。
【０００４】
そこで、光硬化性樹脂組成物に熱重合開始剤を配合して熱及び光硬化性樹脂組成物とし、遮光層が形成された光透過性カバー部材の表面に、この熱及び光硬化性樹脂組成物を塗布し、この塗布面を画像表示部材に重ね、紫外線を照射して光硬化させた後に、全体を加熱することにより遮光層と画像表示部材との間に挟まれた熱及び光硬化性樹脂組成物を熱硬化させることが提案されている（特許文献２）。
【先行技術文献】
【特許文献】
【０００５】
【特許文献１】ＷＯ２０１０／０２７０４１
【特許文献２】ＷＯ２００８／１２６８６０
【発明の概要】
【発明が解決しようとする課題】
【０００６】
しかしながら、特許文献２の技術によれば、特許文献１で懸念された問題の解消は期待できるものの、光重合開始剤に熱重合開始剤を同時に併用し、光重合プロセスに加えて熱重合プロセスを実施しなければならないため、熱重合プロセスのための設備投資の負担が大きくなるという問題や、熱及び光硬化性樹脂組成物の保存安定性が低下するという問題があった。更に、熱及び光硬化性樹脂組成物が塗布された光透過性カバー部材を画像表示部材に重ねる際、その段階では硬化プロセスを経ていないため、遮光層と画像表示部材との間から樹脂組成物が排除されてしまう。そのため、遮光層と光透過性カバー部材表面との間の段差がキャンセルされず、気泡の発生や光透過性カバー部材と樹脂の層間剥離という問題の発生も懸念されている。
【０００７】
本発明の目的は、以上の従来の技術の問題点を解決することであり、画像表示部材とその表面側に配される光透過性カバー部材とを光硬化性樹脂組成物の硬化樹脂層を介して積層して画像表示装置を製造する際に、熱重合プロセスを利用することなく、遮光層と画像表示部材との間の光硬化性樹脂組成物を、そこから排除されることなく十分に光硬化させ且つ遮光層と光透過性カバー部材表面との間の段差をキャンセルできるようにすると共に、光重合プロセスだけで画像表示装置を製造できるようにすることである。
【課題を解決するための手段】
【０００８】
本発明者らは、熱重合開始剤を含有していない液状の光硬化性樹脂組成物を、遮光層を含む光透過性カバー部材の表面又は画像表示部材の表面に、遮光層の厚さより厚く塗布した後、その状態で紫外線を照射し硬化させ、そのような光透過性硬化樹脂層を介して画像表示部材と光透過性カバー部材とを積層することにより、遮光層と画像表示部材との間の光透過性硬化樹脂層を、その間から過度に排除することなく十分に光硬化させることができ、しかも遮光層と光透過性カバー部材の遮光層形成側表面との間の段差をキャンセルできることを見出し、本発明を完成させるに至った。
【０００９】
即ち、本発明は、画像表示部材と、周縁部に遮光層が形成された光透過性カバー部材とが、液状の光硬化性樹脂組成物から形成された光透過性硬化樹脂層を介し、光透過性カバー部材の遮光層形成面が画像表示部材側に配置されるように積層された画像表示装置の製造方法であって、以下の工程（Ａ）〜（Ｃ）を有する製造方法を提供する。
【００１０】
＜工程（Ａ）＞
液状の光硬化性樹脂組成物を、光透過性カバー部材の遮光層形成側表面又は画像表示部材の表面に、遮光層と光透過性カバー部材の遮光層形成側表面とで形成される段差がキャンセルされるように、遮光層の厚さより厚く塗布する工程。
【００１１】
＜工程（Ｂ）＞
塗布された光硬化性樹脂組成物に対し紫外線を照射して硬化させることにより光透過性硬化樹脂層を形成する工程。
【００１２】
＜工程（Ｃ）＞
画像表示部材に、遮光層と光透過性硬化樹脂層とが内側となるように光透過性カバー部材を貼り合わせる工程。
【発明の効果】
【００１３】
本発明の画像表示装置の製造方法においては、熱重合開始剤を含有していない液状の光硬化性樹脂組成物を、遮光層を含む光透過性カバー部材の表面又は画像表示部材の表面に、遮光層の厚さより厚く塗布した後、その状態で紫外線を照射して硬化させて光透過性硬化樹脂層を形成する。続いて、光透過性硬化樹脂層を介して画像表示部材と光透過性カバー部材とを積層する。このため、遮光層と画像表示部材との間の光透過性硬化樹脂層をその間から過剰に排除することなく十分に光硬化させ且つ遮光層と光透過性カバー部材の遮光層形成側表面との間の段差をキャンセルできる。
【図面の簡単な説明】
【００１４】
【図１Ａ】図１Ａは、本発明の画像表示装置の製造方法の工程（Ａ）の説明図である。
【図１Ｂ】図１Ｂは、本発明の画像表示装置の製造方法の工程（Ａ）の説明図である。
【図１Ｃ】図１Ｃは、本発明の画像表示装置の製造方法の工程（Ｂ）の説明図である。
【図１Ｄ】図１Ｄは、本発明の画像表示装置の製造方法の工程（Ｂ）の説明図である。
【図１Ｅ】図１Ｅは、本発明の画像表示装置の製造方法の工程（Ｃ）の説明図である。
【図２Ａ】図２Ａは、本発明の画像表示装置の製造方法の工程（ＡＡ）の説明図である。
【図２Ｂ】図２Ｂは、本発明の画像表示装置の製造方法の工程（ＢＢ）の説明図である。
【図２Ｃ】図２Ｃは、本発明の画像表示装置の製造方法の工程（ＢＢ）の説明図である。
【図２Ｄ】図２Ｄは、本発明の画像表示装置の製造方法の工程（ＣＣ）の説明図である。
【図３】図３は、光透過性硬化樹脂層の接着状態の評価試験の説明図である。
【図４Ａ】図４Ａは、光硬化性樹脂組成物の光透過性カバー部材への塗布態様の説明図である。
【図４Ｂ】図４Ｂは、光硬化性樹脂組成物の光透過性カバー部材への塗布態様の説明図である。
【図５】図５は、光硬化性樹脂組成物の光透過性カバー部材への塗布態様の説明図である。
【図６】図６は、光硬化性樹脂組成物の光透過性カバー部材への塗布態様の説明図である。
【発明を実施するための形態】
【００１５】
以下、工程（Ａ）〜（Ｃ）を有する本発明の画像表示装置の製造方法を、図面を参照しながら工程毎に詳細に説明する。
【００１６】
＜工程（Ａ）（塗布工程）＞
まず、図１Ａに示すように、片面の周縁部に形成された遮光層１を有する光透過性カバー部材２を用意し、図１Ｂに示すように、光透過性カバー部材２の表面２ａに、液状の光硬化性樹脂組成物３を、遮光層１と光透過性カバー部材２の遮光層形成側表面２ａとで形成される段差４がキャンセルされるように、遮光層１の厚さより厚く塗布する。具体的には、遮光層１の表面も含め、光透過性カバー部材２の遮光層形成側表面２ａの全面に光硬化性樹脂組成物３を平坦になるように塗布し、段差が生じないようにする。従って、光硬化性樹脂組成物３を、遮光層１の厚さの好ましくは１．２〜５０倍、より好ましくは２〜３０倍の厚さで塗布する。
【００１７】
なお、この光硬化性樹脂組成物３の塗布は、必要な厚みが得られるように複数回行ってもよい。
【００１８】
光透過性カバー部材２としては、画像表示部材に形成された画像が視認可能となるような光透過性があればよく、ガラス、アクリル樹脂、ポリエチレンテレフタレート、ポリエチレンナフタレート、ポリカーボネート等の板状材料やシート状材料が挙げられる。これらの材料には、片面又は両面ハードコート処理、反射防止処理などを施すことができる。光透過性カバー部材２の厚さや弾性などの物性は、使用目的に応じて適宜決定することができる。
【００１９】
遮光層１は、画像のコントラストを挙げるため等に設けられるものであり、黒色等に着色された塗料をスクリーン印刷法などで塗布し、乾燥・硬化させたものである。遮光層１の厚みとしては、通常５〜１００μｍであり、この厚みが段差４に相当する。
【００２０】
本工程で使用する光硬化性樹脂組成物３の性状は液状である。液状のものを使用するので、遮光層１と光透過性カバー部材２の遮光層形成側表面２ａとで形成される段差４をキャンセルできる。ここで、液状とは０．０１〜１００Ｐａ．ｓ（２５℃、コーンプレートレオメーター、コーン及びプレートＣ３５／２、回転数１０ｒｐｍ）の粘度を示すものである。
【００２１】
このような光硬化性樹脂組成物３としては、ポリウレタン系（メタ）アクリレート、ポリイソプレン系（メタ）アクリレート等の光ラジカル重合性ポリ（メタ）アクリレートと光重合開始剤とを主成分として含有するものが挙げられる。ここで、“（メタ）アクリレート”という用語は、アクリレートとメタクリレートとを包含する。
【００２２】
光ラジカル重合性ポリ（メタ）アクリレートの好ましい具体例としては、ポリイソプレン、ポリブタジエン、ポリウレタン等を骨格に持つ（メタ）アクリレート系オリゴマーを挙げることができる。
【００２３】
ポリイソプレン骨格の（メタ）アクリレート系オリゴマーの具体例としては、ポリイソプレン重合体の無水マレイン酸付加物と２−ヒドロキシエチルメタクリレートとのエステル化物（ＵＣ１０２（ポリスチレン換算分子量１７０００）、（株）クラレ；ＵＣ２０３（ポリスチレン換算分子量３５０００）、（株）クラレ；ＵＣ−１（分子量約２５０００）、（株）クラレ）等を好ましく挙げることができる。
【００２４】
また、ポリウレタン骨格を持つ（メタ）アクリレート系オリゴマーの具体例としては、脂肪族ウレタンアクリレート（ＥＢＥＣＲＹＬ２３０（分子量５０００）、ダイセル・サイテック（株）；ＵＡ−１、ライトケミカル工業（株））等を好ましく挙げることができる。
【００２５】
光重合開始剤としては、公知の光ラジカル重合開始剤を使用することができ、例えば、１−ヒドロキシ−シクロへキシルフェニルケトン（イルガキュア１８４、ＢＡＳＦジャパン（株））、２−ヒドロキシ−１−｛４−[４−（２一ヒドロキシ−２−メチル−プロピロニル）ベンジル]フェニル｝−２−メチル−１−プロパン−１−オン（イルガキュア１２７、ＢＡＳＦジャパン（株））、ベンゾフェノン、アセトフェノン等を挙げることができる。
【００２６】
このような光重合開始剤は、光ラジカル重合性ポリ（メタ）アクリレート１００質量部に対し、少なすぎると紫外線照射時に硬化不足となり、多すぎると開裂によるアウトガスが増え発泡不具合の傾向があるので、好ましくは０．１〜５質量部、より好ましくは０．２〜３質量部である。
【００２７】
液状の光硬化性樹脂組成物３は、更に、光ラジカル重合性ポリ（メタ）アクリレートと相溶する公知の可塑剤（柔軟性付与剤）、例えば、テルペン系水素添加樹脂やポリブタジエン、ポリイソプレン等を含有することができる。これらの可塑剤は、後述するように、粘着付与剤としても使用可能なものである。
【００２８】
また、光硬化性樹脂組成物３は、反応性希釈剤を含有することができる。好ましい反応性希釈剤としては、２−ヒドロキシプロピルメタクリレート、ベンジルアクリレート、ジシクロペンテニルオキシエチルメタクリレート等を挙げることができる。
【００２９】
光硬化性樹脂組成物３は、更に、必要に応じて、シランカップリング剤等の接着改善剤、酸化防止剤等の一般的な添加剤を含有することができる。
【００３０】
また、光硬化性樹脂組成物３は、分子量の調整のために連鎖移動剤を含有することができる。例えば、２−メルカプトエタノール、ラウリルメルカプタン、グリシジルメルカプタン、メルカプト酢酸、チオグリコール酸２−エチルヘキシル、２，３−ジメチルカプト−１−プロパノール、α−メチルスチレンダイマーなどが挙げられる。
【００３１】
なお、後述する工程（Ｂ）における紫外線照射は、光硬化性樹脂組成物３の初期接着強度（いわゆるタック性）を低減させ、また最終的な接着強度を低下させるように働くことがある。そのために、光硬化性樹脂組成物３に、いわゆる粘着付与剤を配合することが望ましい。粘着付与剤としては、例えば、テルペン樹脂、テルペンフェノール樹脂、水素添加テルペン樹脂等のテルペン系樹脂、天然ロジン、重合ロジン、ロジンエステル、水素添加ロジン等のロジン樹脂、ポリブタジエン、ポリイソプレン等の石油樹脂などを使用することができる。このような粘着付与剤の配合量は、光硬化性樹脂組成物１００質量部中に好ましくは４０〜７０質量部である。
【００３２】
なお、光硬化性樹脂組成物３のベース材料は、上述の光ラジカル重合性ポリ（メタ）アクリレートとなるが、粘着付与剤の粘着付与効果をより強く発現させるために、光ラジカル重合性ポリ（メタ）アクリレートを予めポリマー化した材料を含有させることもできる。そのようなポリマー化した材料としては、ブチルアクリレートと２−ヘキシルアクリレートおよびアクリル酸の共重合体やシクロヘキシルアクリレートとメタクリル酸の共重合体等を挙げることができる。
【００３３】
＜工程（Ｂ）（硬化工程）＞
次に、図１Ｃに示すように、工程（Ａ）で塗布された光硬化性樹脂組成物３に対し紫外線を照射して硬化させることにより光透過性硬化樹脂層５を形成する（図１Ｄ）。このように硬化させることにより、遮光層１と画像表示部材との間の光透過性硬化樹脂層５を、その間から排除することなく十分に光硬化させることできる。このような硬化のレベルは、光透過性硬化樹脂層５の硬化率（ゲル分率）が好ましくは９０％以上、より好ましくは９５％以上となるようなレベルである。ここで、硬化率（ゲル分率）とは、紫外線照射前の光硬化性樹脂組成物３中の（メタ）アクリロイル基の存在量に対する紫外線照射後の（メタ）アクリロイル基の存在量の割合（消費量割合）として定義される数値であり、この数値が大きい程、硬化が進行していることを示す。
【００３４】
なお、硬化率（ゲル分率）は、紫外線照射前の樹脂組成物層のＦＴ−ＩＲ測定チャートにおけるベースラインからの１６４０〜１６２０ｃｍ−１の吸収ピーク高さ（Ｘ）と、紫外線照射前の樹脂組成物層のＦＴ−ＩＲ測定チャートにおけるベースラインからの１６４０〜１６２０ｃｍ−１の吸収ピーク高さ（Ｙ）とを、以下の数式（１）に代入することにより算出することができる。
【００３５】
【数１】
0005477495.tif 000002
【００３６】
紫外線の照射に関し、硬化率（ゲル分率）が好ましくは９０％以上となるように硬化させることができる限り、光源の種類、出力、累積光量などは特に制限はなく、公知の紫外線照射による（メタ）アクリレートの光ラジカル重合プロセス条件を採用することができる。
【００３７】
＜工程（Ｃ）（貼り合わせ工程）＞
次に、図１Ｅに示すように、画像表示部材６に、光透過性カバー部材２をその光透過性硬化樹脂層５側から貼り合わせる。貼り合わせは、公知の圧着装置を用いて、１０℃〜８０℃で加圧することにより行うことができる。これにより、画像表示部材６と光透過性カバー部材２とを光透過性硬化樹脂層５を介して積層して画像表示装置１０を得る。
【００３８】
画像表示部材６としては、液晶表示パネル、有機ＥＬ表示パネル、プラズマ表示パネル、タッチパネル等を挙げることができる。ここで、タッチパネルとは、液晶表示パネルのような表示素子とタッチパッドのような位置入力装置を組み合わせた画像表示・入力パネルを意味する。
【００３９】
なお、光透過性硬化樹脂層５の光透過性のレベルは、画像表示部材６に形成された画像が視認可能となるような光透過性であればよい。
【００４０】
以上、図１Ａ〜図１Ｅでは、光透過性カバー部材の遮光層側表面に光硬化性樹脂組成物を塗布した例を説明したが、以下の図２Ａ〜図２Ｄでは、画像表示部材表面に光硬化性樹脂組成物を塗布した例を説明する。なお、図１Ａ〜図１Ｅと図２Ａ〜図２Ｄとにおいて同じ図番は同一の構成要素を表している。
【００４１】
＜工程（ＡＡ）（塗布工程）＞
まず、図２Ａに示すように、画像表示部材６の表面に光硬化性樹脂組成物３を平坦になるように塗布する。この場合の塗布厚は、遮光層と光透過性カバー部材の遮光層形成側表面とで形成される段差がキャンセルされるように、遮光層の厚さの好ましくは１．２〜５０倍、より好ましくは２〜３０倍の厚さである。
【００４２】
なお、この光硬化性樹脂組成物３の塗布は、必要な厚みが得られるように複数回行ってもよい。
【００４３】
＜工程（ＢＢ）（硬化工程）＞
次に、図２Ｂに示すように、工程（ＡＡ）で塗布された光硬化性樹脂組成物３に対し紫外線を照射して硬化させることにより光透過性硬化樹脂層５を形成する（図２Ｃ）。このように硬化させることにより、遮光層と画像表示部材との間の光透過性硬化樹脂層５を、その間から排除することなく十分に光硬化させることできる。このような硬化のレベルは、光透過性硬化樹脂層５のゲル分率が好ましくは９０％以上、より好ましくは９５％以上となるようなレベルである。
【００４４】
＜工程（ＣＣ）（貼り合わせ工程）＞
次に、図２Ｄに示すように、画像表示部材６の光透過性硬化樹脂層５に、光透過性カバー部材２をその遮光層１側から貼り合わせる。貼り合わせは、公知の圧着装置を用いて、１０〜８０℃で加圧することにより行うことができる。これにより、画像表示部材６と光透過性カバー部材２とを光透過性硬化樹脂層５を介して積層して画像表示装置１０を得る。
【００４５】
画像表示部材６としては、液晶表示パネル、有機ＥＬ表示パネル、プラズマ表示パネル、タッチパネル等を挙げることができる。
【００４６】
なお、光透過性硬化樹脂層５の光透過性のレベルは、画像表示部材６に形成された画像が視認可能となるような光透過性であればよい。
【実施例】
【００４７】
以下、本発明を実施例により具体的に説明する。
【００４８】
実施例１
（工程（Ａ）（塗布工程））
まず、４５（ｗ）×８０（ｌ）×０．４（ｔ）ｍｍのサイズのガラス板を用意し、このガラス板の周縁部全域に、乾燥厚で４０μｍとなるように４ｍｍ幅の遮光層を、熱硬化タイプの黒色インク（ＭＲＸインキ、帝国インキ製造（株））を用いて、スクリーン印刷法により塗布し、乾燥させることにより、遮光層付きガラス板を用意した。
【００４９】
また、光ラジカル重合性ポリ（メタ）アクリレートとしてポリイソプレンメタクリレート（ＵＣ１０２、(株)クラレ）６重量部、反応性希釈剤としてジシクロペンテニルオキシエチルメタクリレート１５重量部とラウリルメタクリレート５重量部、可塑剤としてポリブタジエン(Ｐｏｌｙｖｅｓｔ１１０、エボニックデグサジャパン（株）)２０重量部、光重合開始剤（Ｉｒｇａｃｕｒｅ１８４、ＢＡＳＦジャパン（株））１重量部、及び粘着付与剤として水素添加テルペン樹脂(クリアロンＭ１０５、ヤスハラケミカル（株）)５３重量部を均一に混合して光硬化性樹脂組成物を調製した。この光硬化性樹脂組成物の粘度（コーンプレートレオメーター、２５℃、コーン及びプレートＣ３５/２、回転数１０ｒｐｍ）は、約６Ｐａ・ｓであった。
【００５０】
次に、この光硬化性樹脂組成物を、樹脂用ディスペンサーを用いて遮光層付きガラス板の遮光層形成面の全面に吐出し、平均２００μｍの光硬化性樹脂組成物膜を形成した。この光硬化性樹脂組成物膜は、図１Ｂのように遮光層のほぼ全域に跨るように形成されており、４０μｍ厚みの遮光層よりも１６０μｍほど厚く形成されていた。
【００５１】
（工程（Ｂ）（硬化工程））
次に、この光硬化性樹脂組成物膜に対して、紫外線照射装置（ＬＣ−８、浜松ホトニクス（株））を使って、積算光量が３０００ｍＪ／ｃｍ２となるように、５０ｍＷ／ｃｍ２強度の紫外線を６０秒照射することにより光硬化性樹脂組成物膜を硬化させ、光透過性硬化樹脂層を形成した。
【００５２】
なお、ＦＲ−ＩＲ測定チャートにおけるベースラインからの１６４０〜１６２０ｃｍ−１の吸収ピーク高さを指標として求めた、紫外線照射後の光硬化性樹脂組成物膜、即ち、光透過性硬化樹脂層の硬化率は約９２％であった。
【００５３】
更に、光透過性硬化樹脂層の表面のタック性は、タッキング試験機（ＴＡＣ−II、(株)レスカ）を用いたプローブタック法測定によれば、１１０Ｎ/ｃｍ２であった。
【００５４】
（工程（Ｃ）（貼り合わせ工程））
次に、４０（Ｗ）×７０（Ｌ）ｍｍのサイズの液晶表示素子の偏光板が積層された面に、工程（Ｂ）で得たガラス板をその光透過性硬化樹脂層側が偏光板側となるように載置し、ガラス板側からゴムローラで加圧して、ガラス板を貼り付けた。貼り付けられた状態でガラス板側から液晶表示素子を目視観察した場合、遮光層の周囲に気泡は確認されなかった。
【００５５】
＜評価＞
実施例１の各工程の結果物における遮光層と光硬化性樹脂組成物膜層又は光透過性硬化樹脂層との境界の気泡の有無を以下に説明するように目視観察した。また、液晶表示装置の接着状態の評価を以下に説明するように行った。
【００５６】
（気泡の有無）
実施例１の各工程の結果物における遮光層と光硬化性樹脂組成物膜層又は硬化樹脂層との境界の気泡の有無を、目視観察した。その結果、いずれの工程の結果物並びに最終的な液晶表示装置にも気泡は観察されなかった。
【００５７】
（接着状態の評価）
液晶表示装置を作成する際に、図３に示すように、液晶表示素子に代えて４０（Ｗ）×７０（Ｌ）ｍｍのサイズのガラスベース３０を使用し、そのガラスベース３０に対し、光透過性硬化樹脂層が形成されたガラス板３１を、光透過性硬化樹脂層側から十文字に貼り合わせることによりガラス接合体を得た。そして、その下側に位置するガラスベース３０を固定し、上側に位置するガラス板３１を直上方向に引き剥がし、その剥離性状を目視観察し、以下の基準で接着状態を評価したところ、“Ａ”評価であった。
【００５８】
ランク    基準
Ａ：  凝集剥離が生じた場合
Ｂ：  凝集剥離と界面剥離とが混在している場合
Ｃ：  界面剥離が生じた場合
【００５９】
実施例２
実施例１の工程（Ａ）（塗布工程）において、光硬化性樹脂組成物膜を、遮光層の幅に対して７０％程度跨るように形成する以外は、実施例１と同様に液晶表示装置及び接着強度測定用のガラス接合体を作成し、気泡の有無を観察し、接着状態を評価した。その結果、遮光層の幅に対して７０％程度跨るように光硬化性樹脂組成物膜を形成した場合であっても、実施例２の各工程の結果物及び最終的な液晶表示装置に気泡は存在せず、また、接着状態もＡ評価であった。
【００６０】
実施例３
実施例１の工程（Ａ）（塗布工程）において、光硬化性樹脂組成物膜を遮光層の厚みの１．２倍程度で形成した以外は、実施例１と同様に液晶表示装置及び接着強度測定用のガラス接合体を作成し、気泡の有無を観察し、接着状態を評価した。その結果、光硬化性樹脂組成物膜を遮光層の１．２倍程度の厚みで形成すれば、実施例３の各工程の結果物及び最終的な液晶表示装置に気泡は存在せず、また、接着状態も“Ａ”評価であった。
【００６１】
実施例４
実施例１の工程（Ａ）（塗布工程）において、図４Ａのように、光硬化性樹脂組成物３ａを遮光層１と同じ厚みで遮光層１を跨らずに塗布した後、さらに光硬化性樹脂組成物３ｂを、図４Ｂのように遮光層１に跨るように塗布した以外は、実施例１と同様に液晶表示装置及び接着強度測定用のガラス接合体を作成し、気泡の有無を観察し、接着状態を評価した。その結果、光硬化性樹脂組成物を多層化しても、実施例４の各工程の結果物及び最終的な液晶表示装置に気泡は存在せず、また、接着状態も“Ａ”評価であった。
【００６２】
比較例１
実施例１の工程（Ａ）（塗布工程）において、図５のように、光硬化性樹脂組成物３を遮光層１全域に跨るように形成するものの、遮光層１の厚みより薄い約３０μｍ厚で形成した以外は、実施例１と同様に液晶表示装置及び接着強度測定用のガラス接合体を作成し、気泡の有無を観察し、接着状態を評価した。その結果、工程（Ａ）の結果物においては気泡は観察されなかったものの、工程（Ｃ）の結果物において気泡が観察された。また、接着状態は“Ａ”評価であった。
【００６３】
比較例２
実施例１の工程（Ａ）（塗布工程）において、図６のように、光硬化性樹脂組成物３を、遮光層１に跨るように形成せず且つその厚みを遮光層１より薄く塗布した以外は、実施例１と同様に液晶表示装置及び接着強度測定用のガラス接合体を作成し、気泡の有無を観察し、接着状態を評価した。その結果、工程（Ａ）の結果物では気泡は確認できないものの、工程（Ｃ）の貼り合わせ工程の結果物には気泡が確認された。また、接着状態は“Ａ”評価であった。
【００６４】
比較例３
実施例１における工程（Ａ）において、光硬化性樹脂組成物をガラス板に塗布するのではなく、剥離フィルムに形成し、実施例１の工程（Ｂ）と同様の紫外線照射を行うことで、光硬化性樹脂組成物の光透過性硬化樹脂層を剥離フィルム上に形成し、その光透過性硬化樹脂層を遮光層が形成されたガラス板に転写したこと以外は、実施例１と同様に液晶表示装置及び接着強度測定用のガラス接合体を作成し、気泡の有無を観察し、接着状態を評価した。その結果、光透過性硬化樹脂層の転写の際に遮光層の段差において気泡が確認された。その後の工程（Ｃ）の結果物においても気泡が観察された。また、接着状態は“Ｂ”評価であった。
【産業上の利用可能性】
【００６５】
本発明の画像表示装置の製造方法によれば、遮光層と画像表示部材との間の光透過性硬化樹脂層をその間から過度に排除することなく十分に光硬化させ且つ遮光層と光透過性カバー部材の遮光層形成側表面とで形成される段差をキャンセルできる。従って、本発明の製造方法は、タッチパネルを備えたスマートフォーンやタッチパッド等の情報端末の工業的製造に有用である。
【符号の説明】
【００６６】
１  遮光層
２  光透過性カバー部材
２ａ  光透過性カバー部材の（遮光層形成側）表面
３、３ａ、３ｂ  光硬化性樹脂組成物
４  段差
５  光透過性硬化樹脂層
６  画像表示部材
１０  画像表示装置
３０  ガラスベース
３１  ガラス板
【図１Ａ】
0005477495.tif 000003
【図１Ｂ】
0005477495.tif 000004
【図１Ｃ】
0005477495.tif 000005
【図１Ｄ】
0005477495.tif 000006
【図１Ｅ】
0005477495.tif 000007
【図２Ａ】
0005477495.tif 000008
【図２Ｂ】
0005477495.tif 000009
【図２Ｃ】
0005477495.tif 000010
【図２Ｄ】
0005477495.tif 000011
【図３】
0005477495.tif 000012
【図４Ａ】
0005477495.tif 000013
【図４Ｂ】
0005477495.tif 000014
【図５】
0005477495.tif 000015
【図６】
0005477495.tif 000016